(57)【要約】【課題】  酒の芳醇さを保持し自然感と意匠感による高貴な雰囲気で飲酒のできる飲酒用升及び升受けを提供する。【解決手段】  桧板材を用いて所要の大きさの正方形に形成された底板の上面に、その幅が底板の辺長に等しく且その高さが該底板の辺長より長く、而もその両側縁に嵌合凸部及び嵌合凹部が形成された壁面板材相互を寄せ木嵌合させて底板と一体的な升体が形成され、且壁面板材の一つの内面にはその上端開口部より升体の深さの略４０乃至６０％の位置を頂部として円錐弧形面状に切削された集酒溝が形成され、而も底板の裏面には所要間隔毎に所要の幅と高さの水膜防止溝が形成された構造の飲酒用升。【選択図】  図５
0003105436.tif 000002
【実用新案登録請求の範囲】
【請求項１】
桧板材からなり、所要の大きさの正方形状に形成された底板の上面には、その幅が底板の辺長と等しく且その高さが底板の辺長より長い壁面板材で、対向して配置される壁面板材のそれぞれの両側縁には、該対向して配置される壁面板材と直交して対向配置される壁面板材のそれぞれの両側縁に形成される嵌合凸部並びに嵌合凹部と寄せ木嵌合可能なように嵌合凹部並びに嵌合凸部がそれぞれ対称的に形成されてなり、これら壁面板材相互が寄せ木嵌合されて上端開口部と所要収納容積の収納部を有し、且底板の辺長よりその高さが実質的に長い升体が一体的に形成され、而も壁面板材の一つの内面にはその開口部上端より升体の深さの略４０乃至６０％に相当する位置を頂部として円錐弧形面状に切削された集酒溝が形成され、更には底板の裏面にその縦方向若しくは横方向全面に亘って貫通し、且所要間隔毎に所要の幅と高さの水膜防止溝が形成された構造からなる飲酒用升。
【請求項２】
桧板材からなり、その内部に請求項１記載の飲酒用升が載置しえる大きさで、且長方形状に形成された載置板の周縁には所要の高さを以って枠縁が形成されてなり、而も載置板の端縁には裏面に向って所要勾配のテーパー部が形成され、更にはその裏面の縦方向若しくは横方向全面に亘って貫通し、且所要間隔毎に所要の幅と高さの吸着防止溝が形成された構造からなる升受け。
【考案の詳細な説明】
【技術分野】
【０００１】  本考案は瓶や樽、若しくは壜詰めされた酒を分注して飲酒するための、飲酒用升及び升受けに関するものである。
【背景技術】
【０００２】  酒は古来より祝賀や儀式に用いられて来ており、而もその薬用作用による健康増進効果とも相俟って膨大量の消費がなされるに至っている。
加えて今日の如く生活水準の向上に伴って、酒に対しても高級化や個性化指向が富みに高まってきており、発酵酒を代表する清酒を初め濁酒若しくはブドウ酒、或いは蒸留酒を代表する焼酎や泡盛等もその旨みやフレーバーの向上のための醸造技術や蒸留技術の改善が十分になされ、これによる芳醇な発酵酒や蒸留酒も多々上市されるに至っている。【０００３】  そしてこれら芳醇な発酵酒や蒸留酒も、その物流上の取扱性や消費の小口化に対処するうえからその殆んどが壜詰とされ、而もこれら酒を提供する飲酒、飲食店舗や宴会場、或いは家庭においても、その飲用に際しては陶磁器や金属素材からなる徳利や銚子に分注し、更に陶磁器やガラス素材からなる盃に分注して飲酒がなされるため、酒本来の旨さやフレーバーが逸散喪失されて十分な芳醇が賞味出来ぬばかりか、長期に亘る醸造や蒸留に係る背景や自然感を彷彿させる雰囲気すら窺われる余地もない。【０００４】  かかる状況に鑑み酒本来の芳醇さを提供するために一部の小料理店や寿司店或いは酒バー等においては、木製の古来より使用されてなる計量用の小升を活用して壜詰めされた酒を分注し飲用させることにより、木製升より発散されるフレーバーの付加並びに木製素材による自然感や温りによる安らぎ感等により美味しく賞味させることがなされており、酒の愛好者や嗜好者には積極的に利用され拡大化されるに至っている。【０００５】  然るに現状の木製升は単に計量用小升を転用利用したもので、図６に示すように木製板材を用いて底板Ａの四壁面に、壁面板Ｂのそれぞれの端縁に嵌合凸部Ｃ及び嵌合凹部Ｄを形成のうえ、これらを相互に寄せ木嵌合させてその内部に収納部Ｅを有した開口状で、且壁面板Ｂの長さに対して高さがやや短い直方体形状のものが用いられている。【０００６】  これがためかかる木製升に壜詰された酒を分注させて酒を飲用する場合においては、升の角部分に口先を添えて且啜り飲みをせねばならぬため著しく飲みにくく、特に女性の飲酒には不適であるばかりか飲酒に際して度々飲み零しが発生し、着衣への汚損危険が高く大切な接待客へのもてなしには難点がある。従って適宜の皿等を升受けとして使用せざるを得ず、折角の自然感や温りによる安らぎ感も著しく損われる結果となっており、更には木製の升においては吸水性を保持するため、カウンターやテーブル上に飲み零しによる酒若しくは水等が存在すると、該升の底板裏面との間に水膜による吸着作用が働き、飲酒に際して強い把握力を加えぬと升が離れぬばかりか、升内の酒がその把握力により揺動して零れる等、現状の木製升は多くの問題を抱えている。
【考案の開示】
【考案が解決しようとする課題】
【０００７】  本考案はかかる問題を解決するためになされたものであって、本考案は酒の芳醇さが保持され、且自然感や意匠感による高貴な雰囲気で飲酒でき、而も使い勝手に極めて優れた飲酒用升及び升受けを提供することにある。
【課題を解決するための手段】
【０００８】  上述の課題を解決するために本考案が用いた手段は、分注された酒に更に芳醇性の高いフレーバーの付与と且升自体に抗菌性を保持せしめて衛生的な升体となすうえからヒノキチオールを含有する素材として桧板材を用い、所要の面積を有する正方形状の底板の上部に、その幅が底板の一辺長と等しく且その高さが底板の一辺長より長く、而も対向して配置される壁面板材のそれぞれの両側縁には、該対向配置される壁面板材と直交して対向配置される壁面板材のそれぞれ両側縁に形成される嵌合凸部並びに嵌合凹部と、寄せ木嵌合可能な嵌合凹部並びに嵌合凸部が形成されてなるとともに、これらを相互に寄せ木嵌合させることにより上端に開口部と所要の収納部が形成され、而も縦若しくは横に対して実質的に高さの長い升体が形成される。【０００９】  加えてこの相互に寄せ木嵌合される壁面板材の内の一つの壁面板材の内側には、その寄せ木嵌合により形成される開口部上端より升体の深さの略４０乃至６０％に相当する位置を頂部として円錐弧形面状に切削された集酒溝が形成されてなり、而も底板の裏側には縦方向若しくは横方向に全体に亘って貫通し、且所要間隔毎に所要の幅と高さを以って通気自在な水膜防止溝が形成された構造からなる飲酒用升に存する。【００１０】  更に本考案飲酒用升に瓶や樽若しくは壜より酒を分注させる場合における注ぎ零し、或いは飲酒時における飲み零しに対処するうえから升受けが要請されるもので、該升受けは桧板材をその内部に前記飲酒用升を載置しえる大きさで且長方形状に形成させた載置板の周縁に、注ぎ零しや飲み零しした酒の漏出若しくは散出を防止させるため、所要の高さを以って枠縁が形成されている。【００１１】  而も該載置板の端縁にはその裏面に向って所要の勾配を以ってテーパー部がその四辺全体に亘って形成されてなるとともに、該載置板の裏面にはその縦方向若しくは横方向に全面に亘って貫通し、所要の間隔毎に所要の幅と高さを有する通気自在な吸着防止溝が形成された構造に存する。
【考案の効果】
【００１２】  本考案は上述の如き手段からなるもので使用素材として桧板材を用いたうえ所要の大きさの正方形状に形成された底板の上面に、その四壁面が壁面板材相互を寄せ木嵌合させて一体的に、且上端に開口部と所要容積の収納部が形成され、而もその縦方向若しくは横方向の長さに対し実質的に高さの長い升体が形成され、この四壁面を形成する一つの壁面板材の内側には、その上端開口部より升体の深さの略４０乃至６０％に相当する位置を頂部として円錐弧形面状に切削された集酒溝が形成されてなるため、瓶や樽或いは壜から芳醇な酒が分注された場合にも空気と接触する開口部面積が比較的狭く、酒本来に含有されてなるフレーバーの逸散が少なく且酸化による旨みの変性も防止されるばかりか、寧ろ升体を形成する桧板材から高貴なフレーバーが含着されて一段と美味しく賞味飲酒される。【００１３】  そして飲酒に際しては集酒溝の形成部位に口を添えるのみで、極めて容易に且飲み零しがなく飲酒でき、而も升体を僅かに傾けるのみで升体内の酒は該集酒溝に沿って流動し飲酒できることとなる。
更に桧板材の自然感や温りに加えて、寄せ木嵌合に伴う特有の意匠感とが相俟って崇高な雰囲気で吟味することも可能となる。
加えて底板の裏面には水膜防止溝が貫通して形成されてなるから、カウンターやテーブル或いは升受け表面に酒や水等が漏出し濡れが発生した場合でも、水膜作用による吸着が阻止され升の使い勝手が十分に発揮される。【００１４】  而も本考案飲酒用升に升受けを併用すると、該升受けも桧板材が使用され且その全体形状が扁平な長方形状で、更には載置板の端縁にはテーパー部が形成されてなることから、その内部に載置される四角柱状の飲酒用升との自然感や意匠感が一段と強く創出され、且飲酒には桧板材からの高貴なフレーバーが加重され一段と美味しく賞味飲酒がなされるばかりか、注ぎ零しや飲み零しも該升受け内で受止められ着衣等の汚損も防止される。
【考案を実施するための最良の形態】
【００１５】  桧板材を用い、所要の大きさで正方形状の底板の上面にこの底板辺長に対し幅が等しく且その高さが長い壁面板材で、而もそれぞれの両側縁に嵌合凸部と嵌合凹部が形成された壁面板材相互を寄せ木嵌合させ一体的に且上端に開口部を有する升体を形成し、而も壁面板材の一つの内側には開口部上端より升体の深さの略４０乃至６０％に相当する位置を頂部として円錐弧形面状に切削された集酒溝が形成され、更に底板の裏面には一方向に貫通するように所要間隔毎に所要の幅と高さの水膜防止溝が形成された構造の飲酒用升、及び桧板材を用いその内部に飲酒用升が載置できる大きさで且長方形状の載置板の周縁に、所要の高さで枠縁が形成され而も載置板の端縁には裏面に向ってテーパー部が形成され、且該載置板の裏面には一方向に貫通するように所要の間隔毎に所要の幅と高さの吸着防止溝が形成された構造の升受け。
【実施例１】
【００１６】  以下に本考案実施例を図とともに詳細に説明すれば、図１は本考案飲酒用升１の見取図であって、本考案は主に発酵酒を代表する清酒を初め濁酒や蒸留酒を代表する焼酎や泡盛等に用いるもので、これら酒に高貴で芳醇なフレーバーの付与と飲用に際して抗菌性を発揮せしめて衛生的に保持させること、及び自然感や温もり或いは意匠感の創出により美味しく且安らぎを以って賞味飲酒がなしえるよう使用素材としては桧板材が使用される。【００１７】  この桧板材の厚さは形成される本考案飲酒用升１の大きさ所謂分注容量によっても異なるが、本考案飲酒用升１の分注容量としては通常略７０乃至１５０ｃｃ程度のものが主に要請されるため、この場合における桧板材の厚さとしては略８乃至１２ｍｍ程度のものが好適である。【００１８】  かくしてなる桧板材を用いて所要の大きさで且正方形状に切断することで底板１Ａが形成されるもので、該底板１Ａの大きさも当然に分注容量によって異なるものであるが、分注容量が７０ｃｃの場合においては該底板１Ａの縦若しくは横方向の辺長としては略５８乃至６０ｍｍ程度が好適である。【００１９】  かくしてなる底板１Ａの上面には、その四壁面を相互に寄せ木嵌合させて所要の分注容量の酒を収納させる収納部１Ｄを形成させるための壁面板材１Ｂが一体的に寄せ木嵌合されている。
この壁面板材１Ｂはその寄せ木嵌合により優れた自然感や意匠感を創出させるものであるため、その幅が底板１の辺長と等しく且その高さが底板１の辺長より長い壁面板材１Ｂが用いられるものであるが、本考案飲酒用升１においては寄せ木嵌合により桧板材の縦目と横目における色調差や嵌合模様を現出させて自然感とともに強い意匠感を創出させる必要がある。【００２０】  これがためには四壁面を形成する壁面板材１Ｂのうち図２に示すように、対向して配置される壁面板材１０Ｂ、１０Ｂの両側縁には、それぞれ寄せ木嵌合させるための嵌合凸部１０Ｃ、１０Ｃ・・と嵌合凹部１０Ｄ、１０Ｄ・・とが対称的に形成されており、更に該壁面板材１０Ｂ、１０Ｂと直交する二側面に対向して配置される壁面板材１１Ｂ、１１Ｂの両側縁にも前記嵌合凸部１０Ｃ、１０Ｃ・・と嵌合しえる嵌合凹部１１Ｃ、１１Ｃ・・及び嵌合凸部１１Ｄ、１１Ｄ・・がそれぞれ対称的に形成されている。
そしてこの対向して配置される壁面板材１０Ｂ、１０Ｂと直交して対向配置される壁面板材１１Ｂ、１１Ｂの両側縁を相互に寄せ木嵌合させることにより、その上端に開口部１Ｃと且所要の分注容量の収納部１Ｄを有する升体１Ｇが形成される。【００２１】  かかる場合において壁面板材１Ｂの幅は、寄せ木嵌合により形成される升体１Ｇが底板１Ａと一体的に形成される必要上から底板１Ａの辺長と等しく形成されるものであるが、その高さは本考案飲酒用升１が従来からの軽量用升とは異なり、飲酒に際して要望される機能を包含させるうえから、その全体形状として四角柱状の縦長に形成させるものであって、具体的な高さは分注容量によっても異なるが、一般的には底板１Ａの辺長に対し壁面板材１Ｂの高さは略１．１乃至１．４倍程度の長さが好適である。【００２２】  更に底板１Ａと壁面板材１Ｂ相互の寄せ木嵌合により一体的に形成される升体１Ｇの一体化には特段の制約はないが、通常は安全性の高い水性イソシアネート系接着剤が用いられるが、他の手段としては壁面板材１Ｂ相互を寄せ木嵌合させた嵌合中心を貫通するよう底板１Ａの四隅より穿孔のうえ、木くぎにより貫入固定（図示せず）させる手段も採用できる。【００２３】  そして本考案飲酒用升１の最も特徴ある技術手段として、升体１Ｇを形成する壁面板材１Ｂの内の一つの壁面板材１Ｂの内面には、図２で明らかな如くその開口部１Ｃの上端より升体１Ｇの深さの略４０乃至６０％に相当する位置を頂部１０Ｅとして円錐弧形面状に該壁面板材１Ｂの内面が切削されて集酒溝１Ｅが形成されてなることである。【００２４】  かかる場合において円錐弧形面状に切削される集酒溝１Ｅの具体的切削幅や長さ及び切削深さ等は、壁面板材１Ｂの幅や長さ及び厚さによって具体的に決定されるが、壁面板材１Ｂの高さが６０ｍｍ寄せ木嵌合された内面幅３６ｍｍ厚さが１１ｍｍの場合、開口部１Ｃの上端より深さ２５ｍｍの位置を頂部１０Ｅとした場合には開口部１Ｃにおける切削長１１Ｅは略３０ｍｍ、開口部１Ｃ上端の切削深さ１２Ｅは８ｍｍ程度の円錐弧形面状の切削となる。【００２５】  更に升体１Ｇを形成する底板１Ａの裏面には、図３に示すような水膜防止膜１Ｆが形成されている。
この水膜防止溝１Ｆは本考案飲酒用升１が桧板材で形成されてなるため吸水性を保持し、従ってある程度吸水した状態においてカウンターやテーブル或いは升受け等の表面に酒や水等の濡れ面が存在すると相互間に水膜が形成され強固に吸着し飲酒に支障が発生する。【００２６】  そこでかかる水膜形成を阻止するうえから、底板１Ａの裏面の縦方向若しくは横方向の全面に亘って貫通するよう、且所要間隔毎にその内部に通気が可能なよう所要の幅と高さの水膜防止溝１Ｆが形成されてなるものでその形成には特段の制約は無いが、具体例を挙げればその形成間隔としては略１０乃至１６ｍｍ程度、形成幅では略１乃至２ｍｍ程度及び形成高さとしては略２乃至３ｍｍ程度が望まれる。加えて必要ある場合には開口部１Ｃに着脱自在な適宜の蓋を用いることも考慮される。かかる如き構造により本考案飲酒用升１が形成されている。【００２７】  ところで本考案飲酒用升１は醸造されも若しくは蒸留された酒が主に瓶や樽或いは壜詰により取扱われるため、分注時における注ぎ零しや飲酒時の飲み零しを防ぎ、更には自然感や意匠感を高めて崇高な雰囲気で賞味飲酒を図るうえからは、図４に示す如き升受け２が強く要請される。
即ちこの升受け２は桧板材を用い、図５に示すようにその内部に前記飲酒用升１が余裕を以って載置しえるような大きさで、且載置される四角柱状の飲酒用升１との対比美観を発揮させるうえから長方形状に形成されるものであり、而も該載置板２Ａの周縁には載置される飲酒用升１の脱落防止並びに注ぎ零れや飲み零しによる溜った酒の漏出を防止するため、所要の高さを以って枠縁２Ｂが形成されている。この載置板２Ａの枠縁２Ｂの形成手段は特段の制約なく通常は前記した水性イソシアネート系接着剤もしくは木くぎによる接合が用いられる。枠縁２Ｂの高さは特段に制約はないが、通常は略１０乃至１６ｍｍ程度で十分である。【００２８】  そして本考案升受け２はかかる如く外形が扁平状のシンプルなものであるから、更に意匠性を高めるために載置板２Ａの端縁にはテーパー部２０Ａが形成されてなるもので、該テーパー部２０Ａの勾配についても特段に制約はないが、通常では略３０乃至４５度の傾斜勾配がデザイン面からも好適である。【００２９】  加えて該升受け２は飲酒用升１の升受け２として使用されるものであるから、飲酒に際してはカウンターやテーブル上に置かれる。
してみると該升受け２も桧板材により形成されるため吸水性を保持し、他方カウンターやテーブル上には酒や各種飲み物或いは水等で濡れている場合が多く、この濡れ面に本考案升受け２の載置板２Ａの平滑な底面が接触すると水膜の形成による吸着作用が働く危険がある。【００３０】  そこで載置板２０Ａの裏面には、その縦方向若しくは横方向全面に亘って貫通するよう、且所要間隔毎に所要の幅と高さを以って吸着防止溝２Ｃが形成されている。この吸着防止溝２Ｃの形成間隔や形成幅及び形成高さ等は、前記水膜防止溝１Ｆと略同等の形成で十分である。
かかる如き構造により本考案升受け２が形成されている。
【産業上の利用可能性】
【００３１】  本考案は桧板材の寄せ木嵌合により形成されてなり、且内部に収納部を有するため自然感と意匠感に優れるため、筆立てや花器等室内装飾品としての利用も可能である。
【図面の簡単な説明】
【００３２】
【図１】  本考案飲酒用升の見取図である。
【図２】  壁面板材の嵌合方法の説明図である。
【図３】  本考案飲酒用升の裏面説明図である。
【図４】  本考案升受けの見取図である。
【図５】  本考案升受けの使用態様図である。
【図６】  従来の升の説明図である。
【符号の説明】
【００３３】  １    飲酒用升
１Ａ  底板
１Ｂ  壁面板材
１０Ｂ  対向配置される壁面板材
１０Ｃ  対向配置される壁面板材の嵌合凸部
１０Ｄ  対向配置される壁面板材の嵌合凹部
１１Ｂ  直交して配置される壁面板材
１１Ｃ  直交して配置される壁面板材の嵌合凹部
１１Ｄ  直交して配置される壁面板材の嵌合凸部
１Ｃ  開口部
１Ｄ  収納部
１Ｅ  集酒溝
１０Ｅ  頂部
１１Ｅ  切削長
１２Ｅ  切削深さ
１Ｆ  水膜防止溝
１Ｇ  升体
２    升受け
２Ａ  載置板
２０Ａ  テーパー部
２Ｂ  枠縁
２Ｃ  吸着防止溝
【図１】
0003105436.tif 000003
【図２】
0003105436.tif 000004
【図３】
0003105436.tif 000005
【図４】
0003105436.tif 000006
【図５】
0003105436.tif 000007
【図６】
0003105436.tif 000008